(57)【要約】【課題】  使用者の膝に置いて操作可能であり、体積が小さく、トレーニングという効果の高い膝上部トレーニングマシンを提供する。【解決手段】  膝上部トレーニングマシン１０は、底座１１と、操作機構２１と、減衰機構４１とから構成される。旋回ボタン４２を回し、摩擦ユニットを調整しコード３６を押さえることで減衰力が調整されるとともに、コード３６を伸張する時に生じる抗力が調整される。操作をする場合、両足の腿を二つの凹部１２中に置くと、ケース２２と使用者の腿から形成される角度が約１２０度となり、使用者は両手でコード３６を下へ引っ張り、減衰機構４１により生じる抗力で使用者に重く感じさせ、かつコード３６がケース２２内、外を循環する。そのため、使用者はコード３６を繰り返して引っ張り、トレーニングという効果を達成することができる。【選択図】    図１
0003104220.tif 000002
【実用新案登録請求の範囲】
【請求項１】
両側に使用者の腿を置くための凹み部を有し、最上端に接合部を有する底座と、
長い形のケースを有し、ケースの底部が嵌合部を形成することで取り外し可能な方法で接合部と連接し、ケースの最上及び底の二端が水平方向で延伸して短アームを形成し、二つの短アームの向かい合う面が互いに対応する穿孔を形成し、ケースの内部が突っ張り壁を形成し、ケース内に装着される滑り輪と、滑り輪及び突っ張り壁を回って連接しかつ穿孔からケースを通り抜け、ほかの穿孔からケース内に戻るコードと、を有する操作機構と、
突っ張り壁の近くに位置するようにケースに装着される旋回ボタンと、旋回ボタンに装着され、突っ張り壁と向かい合う摩擦壁を有する摩擦ユニットとを有し、コードは摩擦壁と突っ張り壁との間を通過し、摩擦ユニットは旋回ボタンの制御により、突っ張り壁に接近するまたは離れることにより、コードを押さえたり緩めたりして減衰力を調整する減衰機構と、
を備えることを特徴とする膝上部トレーニングマシン。
【請求項２】
凹部は、断面が半円状であることを特徴とする請求項１に記載の膝上部トレーニングマシン。
【請求項３】
使用者の腿を二つの凹部に置いて底座が挟まった後、ケースの長軸方向と使用者の腿から形成される角度は、９０度から１５０度の間である特徴とする請求項１に記載の膝上部トレーニングマシン。
【請求項４】
突っ張り壁は、脱出止め環を有し、コードを突っ張り壁と摩擦壁との間に外れることなく位置するように保持することを特徴とする請求項１に記載の膝上部トレーニングマシン。
【請求項５】
摩擦壁は、部分のコードを収納する凹溝を有し、コードを位置決めすることを特徴とする請求項１に記載の膝上部トレーニングマシン。
【請求項６】
接合部は、底座の最上部に設けられる凹洞であり、凹洞の両側の壁面に弾性継ぎ手を有し、二つの押しボタンは二つの弾性継ぎ手に連接するように底座に装着され、二つの押しボタンを動かし二つの弾性継ぎ手の位置を制御可能であり、嵌合部は四つの側板から形成され、二つずつケース底部の両側に設置され、二つの側板の間のケース胴部は係合溝を有し、ケース底部を凹洞に置いたとき、二つの側板は底座の両側に位置し嵌まり込み、弾性継ぎ手は係合溝の中に接合されることを特徴とする請求項１に記載の膝上部トレーニングマシン。
【請求項７】
底座は、凹洞両端の両側縁部にそれぞれ階段状凹部を有し、側板を階段状凹部に収納することを特徴とする請求項６に記載の膝上部トレーニングマシン。
【請求項８】
ケースは、最上端の短アームの前端にクッションを有することを特徴とする請求項１に記載の膝上部トレーニングマシン。
【考案の詳細な説明】
【技術分野】
【０００１】
本考案は、トレーニングマシンに関し、詳しく言えば膝において両手で引っ張ることにより体を鍛える膝上部トレーニングマシンに関する。
【背景技術】
【０００２】
アメリカ合衆国特許第6,261,208号により公開された「コードの摩擦によるスポーツ装置」は、両手で引っ張ってダンパーによりトレーニングという効果を達成するものである。使用する際に、使用者はＵ形のケースの底部上に立って、腰に固定コードを縛ることで底部に固定し、また底部の引っかかる縄に脚をかけ、両手でコードを引っ張ることでトレーニングをする。
【０００３】
しかし、前述の周知の伸張力によるトレーニングマシンは、使用前の準備動作（コードで身体の腰や足を固定しなければならないこと）が極めて複雑で、そのほかに、周知のマシンの体積が極めて大きく、重量もきわめて大きいため、一般の家庭に簡単に置くわけにはいけなく、収納と装着に不便であるため、プローに頼らなければならない。スポーツセンターにしても、このようなトレーニングマシンの体積があまり巨大である。
また、スペースを占めるという問題のほかに、機構全体のコースが極めて高く、装着上、困難さがある。
【考案の開示】
【考案が解決しようとする課題】
【０００４】
本考案者は周知の欠点を改善する立場から、構造がさらに進歩しかつ小型化する膝上部トレーニングマシンを考案した。
本考案の主な目的は、使用者の膝に置いて操作可能であり、体積が小さく、トレーニングという効果の高い膝上部トレーニングマシンを提供することにある。
本考案のもう一つの目的は、機構全体が小さく、コストダウンが図られる膝上部トレーニングマシンを提供することにある。
【課題を解決するための手段】
【０００５】
本考案の膝上部トレーニングマシンは、両側に使用者の腿を置くための凹み部を有し、最上端に接合部を有する底座と、長い形のケースを有し、ケースの底部が嵌合部を形成することで取り外し可能な方法で接合部と連接し、ケースの最上及び底の二端が水平方向で延伸して短アームを形成し、二つの短アームの向かい合う面が互いに対応する穿孔を形成し、ケースの内部が突っ張り壁を形成し、ケース内に装着される滑り輪と、滑り輪及び突っ張り壁を回って連接しかつ穿孔からケースを通り抜け、ほかの穿孔からケース内に戻るコードと、を有する操作機構と、突っ張り壁の近くに位置するようにケースに装着される旋回ボタンと、旋回ボタンに装着され、突っ張り壁と向かい合う摩擦壁を有する摩擦ユニットとを有し、コードは摩擦壁と突っ張り壁との間を通過し、摩擦ユニットは旋回ボタンの制御により、突っ張り壁に接近するまたは離れることにより、コードを押さえたり緩めたりして減衰力を調整する減衰機構と、を備えることを特徴とする。
【考案を実施するための最良の形態】
【０００６】
以下、本考案の構造及び特徴を実施例及び図面に基づいて説明する。
図１から図５に示すように、本考案の一実施例による膝上部トレーニングマシン１０は、底座１１と、操作機構２１と、減衰機構４１から構成される。
底座１１は、両側に使用者の腿を置くため、断面が半円状を呈する凹み部１２を有し、底座１１の最上端に接合部１４を有し、接合部１４が底座１１の最上部に設けられる凹洞１４であり、凹洞１４の両側の壁面に弾性継ぎ手１６を有し、また二つの押しボタン１８が二つの弾性継ぎ手１６に連接するように底座１１に装着されることで、二つの押しボタン１８を動かし二つの弾性継ぎ手１６の位置を制御することができる。また底座１１は、凹洞１４の両側の縁部にそれぞれ階段状凹部１５を有する。
【０００７】
操作機構２１は、長い形のケース２２を有している。ケース２２の底部に嵌合部２４を形成し、嵌合部２４が四つの側板２５から形成され、二つずつケース２２底部の両側に設置され、二つの側板２５の間のケース２２胴部に係合溝２６を形成し、ケース２２底部を凹洞１４に置いた場合、側板２５は階段状凹部１５中に嵌合され、底座１１の両側に位置づけされ、嵌まる状態を呈し、弾性継ぎ手１６は係合溝２６の中に接合される。またケース２２の最上及び底の二端は水平方向で延伸して短アーム２８を形成し、そのうちの最上端の短アーム２８の前端にクッション２９が設けられ、二つの短アーム２８の向かい合う面が互いに対応する穿孔２８１を形成し、ケース２２の内部が突っ張り壁３２を形成する。またケース２２内に装着される滑り輪３４と、滑り輪３４及び突っ張り壁３２を回って連接しかつ穿孔２８１からケース２２を通り抜け、ほかの穿孔２８１からケース２２内に戻るコード３６を有し、かつ突っ張り壁３２上に脱出止め環３３を有することで、コード３６の脱出を阻止でき、そして自身の回転性によりコード３６に抗力が生じることを避けることができる。
【０００８】
減衰機構４１は、突っ張り壁３２の近くに位置するようにケース２２に装着される旋回ボタン４２と、旋回ボタン４２に装着され、突っ張り壁３２と向かい合う摩擦壁４５を有する摩擦ユニット４４を有している。コード３６は摩擦壁４５と突っ張り壁３２の間を通過し、摩擦壁４５は、部分のコード３６を収納する凹溝４６を有することでコード３６を凹溝４６上に位置決めする。摩擦ユニット４４は旋回ボタン４２の制御により、突っ張り壁３２に接近するかそれから離れることで、コード３６を押さえたり緩めたりし、減衰力を調整する。
【０００９】
前述の底座１１とケース２２が結合された後、底座１１は直立状を呈し、ケース２２の長軸方向と水平面から形成される角度は１２０度である。即ち図６に示すように使用者の脚を凹部１２に置いた場合、ケース２２の長軸方向と使用者の腿から形成される角度は１２０度である。
図１と図３及び図７に示すように、使用前に、使用者は需要に応じ旋回ボタン４２を回し、摩擦ユニット４４を調整しコード３６を押さえることで減衰力を調整するとともに、コード３６を伸張する時に生じる抗力を調整する。操作をする場合、両足の腿を二つの凹部１２中に置くと、ケース２２と使用者の腿から形成される角度が約１２０度となり、使用者は両手でコード３６を下へ引っ張り、減衰機構４１により生じる抗力で使用者に重く感じさせ、かつコード３６がケース２２内、外を循環する。そのため、使用者はコード３６を繰り返して引っ張り、トレーニングという効果を達成することができる。
【００１０】
また、使用者がコード３６を下へ引っ張った場合、頭部がケース２２最上端の短アーム２８前端に傾く。そのため、ケース２２と使用者の腿から形成される角度を１２０に設定する設計は、使用者の頭部が短アーム２８前端にぶつかることを避けるものである。使用者の頭が短アーム２８前端にぶつかったとしても、クッション２９により緩衝を提供し、使用者の頭を怪我させることを防ぐことができる。
底座１１とケース２２を分離しようとする場合、二つの押しボタン１８を動かし、二つの弾性継ぎ手１６を二つの係合溝２６から離し、そしてケース２２を上向きに持ち上げれば、底座１１から分離する。
【００１１】
上述の構造により、本考案の利点は下記のとおりである。
体積が小さいこと。本考案は使用者が坐ったまま膝上に置いて操作できるものであるため、体積が周知のものより更に小さく、操作体積があまり要らなく、収納に便利である。
コストダウンになること。本考案は機構全体が周知のものより更に小さいため、材料にかかる費用も組合せまたは装着にかかる費用も安くなる。
【図面の簡単な説明】
【００１２】
【図１】本考案の一実施例による膝上部トレーニングマシンを示す立体図である。
【図２】本考案の一実施例による膝上部トレーニングマシンを示す立体図である。
【図３】本考案の一実施例による膝上部トレーニングマシンのケース内部を示す概略図である。
【図４】図３の減衰機構を示す拡大図である。
【図５】図４の５−５線における断面図である。
【図６】本考案の一実施例による膝上部トレーニングマシンの使用状態を示す参考図である。
【図７】本考案の一実施例による膝上部トレーニングマシン他の使用状態を示す参考図である。
【符号の説明】
【００１３】
１００  膝上部トレーニングマシン、１１  底座、１２  凹部、１４  接合部、凹洞、１５  階段状凹部、１６  弾性継ぎ手、１８  押しボタン、２１  操作機構、２２  ケース、２４  嵌合部、２５  側板、２６  係合溝、２８  短アーム、２８１  穿孔、２９  クッション、３２  突っ張り壁、３３  脱出止め環、３４  滑り輪、３６  コード、４１  減衰機構、４２  旋回ボタン、４４  摩擦ユニット、４５  摩擦壁、４６  凹溝
【図１】
0003104220.tif 000003
【図２】
0003104220.tif 000004
【図３】
0003104220.tif 000005
【図４】
0003104220.tif 000006
【図５】
0003104220.tif 000007
【図６】
0003104220.tif 000008
【図７】
0003104220.tif 000009